(57)【特許請求の範囲】
【請求項１】
自車位置、前記自車位置の前方に存在する料金所の位置、及び前記料金所の前方に存在する道路における目標レーンの位置を取得する位置取得ユニット（３）と、
前記自車位置から、前記料金所の位置を経て前記目標レーンの位置に至る予定走行路を作成する予定走行路作成ユニット（５）と、
前記予定走行路に沿って自車が走行するように制御する走行制御ユニット（７）と、
他車を検出する他車検出ユニット（９）と、
前記他車検出ユニットで検出した前記他車の予定走行路である他車走行路を作成する他車走行路作成ユニット（１１）と、
を備え、
前記予定走行路作成ユニットは、前記他車走行路を走行する前記他車と、前記予定走行路を走行する自車とが接触するか否かを判断するとともに、自車と前記他車とでどちらが優先であるかを判断するように構成され、前記料金所よりも手前で前記他車と自車とが接触すると判断し、且つ前記他車が優先であると判断した場合は、前記他車と自車とが接触しないように、自車が通過する前記料金所を変更して前記予定走行路を再作成するとともに、前記料金所よりも先で前記他車と自車とが接触すると判断し、且つ前記他車が優先であると判断した場合は、前記他車と自車とが接触しないように、前記目標レーンを変更して前記予定走行路を再作成することを特徴とする運転支援装置（１）。
【請求項２】
請求項１に記載の運転支援装置であって、
前記位置取得ユニットは、自車に搭載されたセンサ（１９、２５）、又は地図情報を用いて、前記料金所の位置、及び前記目標レーンの位置を取得することを特徴とする運転支援装置。
【請求項３】
請求項１又は２に記載の運転支援装置であって、
前記予定走行路を表す情報を自車の外部に送信する送信ユニット（１３）を備えることを特徴とする運転支援装置。
【請求項４】
請求項１〜３のいずれか１項に記載の運転支援装置であって、
前記予定走行路を自車の乗員に表示する表示ユニット（１５）を備えることを特徴とする運転支援装置。
【発明の詳細な説明】
【技術分野】
【０００１】
本発明は運転支援装置に関する。
【背景技術】
【０００２】
従来、以下のような運転支援装置が知られている。運転支援装置は車載カメラを用いて自車の前方を撮影し、画像データを作成する。運転支援装置はその画像データにおいて白線（走行区画線）を認識し、認識した白線に基づき、自車の走行軌道を設定する。そして、運転支援装置は、設定した走行軌道上を自車が走行するように操舵角を制御する（特許文献１参照）。
【先行技術文献】
【特許文献】
【０００３】
【特許文献１】特開２００５−１８２１８６号公報
【発明の概要】
【発明が解決しようとする課題】
【０００４】
例えば、高速道路の料金所の前後等には白線がない場合がある。この場合、特許文献１記載の運転支援装置は、上記の制御を行うことができない。  
本発明は、こうした問題にかんがみてなされたものであり、白線がない場所においても運転支援を行うことができる運転支援装置を提供することを目的としている。
【課題を解決するための手段】
【０００５】
本発明の運転支援装置は、自車位置、自車位置の前方に存在する料金所の位置、及び料金所の前方に存在する道路における目標レーンの位置を取得する位置取得ユニットと、自車位置から、料金所の位置を経て目標レーンの位置に至る予定走行路を作成する予定走行路作成ユニットと、予定走行路に沿って自車が走行するように制御する走行制御ユニットとを備える。
【０００６】
本発明の運転支援装置によれば、例えば、白線がない場所においても、予定走行路を作成し、その予定走行路に沿って自車が走行するように制御することができる。
【図面の簡単な説明】
【０００７】
【図１】運転支援装置１の構成を表すブロック図である。
【図２】運転支援装置１が実行する予定走行路作成処理を表すフローチャートである。
【図３】運転支援装置１が実行する予定走行路作成処理を表すフローチャートである。
【図４】予定走行路の例を表す説明図である。
【図５】第１の予定走行路の例を表す説明図である。
【図６】第１の予定走行路及び第２の予定走行路の例を表す説明図である。
【発明を実施するための形態】
【０００８】
本発明の実施形態を図面に基づき説明する。
＜第１の実施形態＞
１．運転支援装置１の構成
運転支援装置１の構成を図１に基づき説明する。運転支援装置１は車両に搭載される車載装置である。以下では、運転支援装置１を搭載する車両を自車とする。運転支援装置１はＣＰＵ、ＲＡＭ、ＲＯＭ等を備える公知のコンピュータである。運転支援装置１はＲＯＭに記憶したプログラムにより後述する処理を実行する。
【０００９】
運転支援装置１は機能的に、位置取得ユニット３、予定走行路作成ユニット５、走行制御ユニット７、他車検出ユニット９、他車走行路作成ユニット１１、送信ユニット１３、表示ユニット１５、及びＡＣＣ（アクティブクルーズコントロール）制御ユニット１７を備える。各ユニットの機能は後述する。    
【００１０】
自車は、運転支援装置１に加えて、カメラ１９、ＧＰＳ２１、地図情報保持部２３、ミリ波センサ２５、車車間通信装置２７、ドライバ車速設定器２９、ナビ３１、車速センサ３３、ドライバアプリ起動スイッチ３５、ＨＭＩ（ヒューマンマシンインターフェイス）３７、路車間通信装置３８、横方向運動制御器３９、ステアリングシステム４１、前後方向運動制御器４３、パワートレインシステム４５、及びブレーキシステム４７を備える。
【００１１】
カメラ１９は自車の周囲を撮影し、画像データを作成する。ＧＰＳ２１は自車の位置を取得する。地図情報保持部２３は記憶装置により構成され、地図情報を保持している。地図情報には、道路の位置、道路のレーン数、各レーンの位置、料金所に関する情報（料金所の位置、各料金所がＥＴＣに対応しているか否か等）等が含まれる。なお、本明細書において料金所とは、１台の車両が通過可能な通路を１つ有する部分を意味する。例えば、図４に示す料金所４９、５１、５３、５５、５７、５９は、それぞれが１つの料金所である。このうち、料金所５１、５７はＥＴＣに対応している料金所であり、他はＥＴＣに対応していない料金所である。
【００１２】
ミリ波センサ２５はミリ波を用いて自車の周辺に存在する物標（例えば他車（他の車両）等）の位置を検出する。車車間通信装置２７は他車との間で車車間通信を行う。ドライバ車速設定器２９は自車のドライバによる入力操作を受け付ける。ドライバ車速設定器２９に入力される情報としては、ＡＣＣ制御中の車速等がある。
【００１３】
ナビ３１は周知のナビゲーションシステムである。ドライバアプリ起動スイッチ３５は自車のドライバによる操作を受け付けるスイッチである。ドライバの操作としては、ＡＣＣ制御の開始及び終了を指示する操作がある。ＨＭＩ３７は自車の車室内に設置されたディスプレイ、スピーカ、マイクロフォン、入力装置等を備える。路車間通信装置３８は、路上の施設との間で通信を行う。
【００１４】
横方向運動制御器３９はステアリングシステム４１を制御する。ステアリングシステム４１は自車の操舵を行う。前後方向運動制御器４３はパワートレインシステム４５及びブレーキシステム４７を制御する。パワートレインシステム４５は、エンジンと、そのエンジンの動力を駆動輪に伝達する機構とを備える。ブレーキシステム４７は自車の制動動作を行う。
【００１５】
２．運転支援装置１が実行する予定走行路作成処理
運転支援装置１が実行する予定走行路作成処理を図２〜図６に基づき説明する。この処理は、ドライバアプリ起動スイッチ３５に対し、ＡＣＣ制御の開始を指示する操作をドライバが行ったときに実行される。
【００１６】
図２のステップ１では、ＡＣＣ制御ユニット１７が通常のＡＣＣ制御を行う。ＡＣＣ制御の概略は以下のとおりである。カメラ１９を用いて自車の前方を撮影し、画像データを取得する。その画像データにおいて周知の画像認識技術を用いて白線を認識し、認識した白線に基づき、自車の走行軌跡を設定する。そして、走行軌跡から逸脱しないように、横方向運動制御器３９及びステアリングシステム４１を用いて適宜操舵角を制御する。
【００１７】
また、カメラ１９の画像データ、及びミリ波センサ２５を用いて先行車を認識し、自車から先行車までの距離を算出する。そして、その距離が予め設定された目標値に維持されるように、前後方向運動制御器４３、パワートレインシステム４５、及びブレーキシステム４７を用いて、自車の車速を調整する。
【００１８】
ステップ２では、自車が高速道路等の料金所に接近した状態にあるか否かを位置取得ユニット３が判断する。具体的には、以下のように判断する。位置取得ユニット３は、ＧＰＳ２１を用いて自車の位置（以下、自車位置とする）を取得する。次に、地図情報保持部２３から読み出した地図情報を用い、自車位置の前方に存在する料金所を探す。自車位置の前方に料金所が存在し、自車位置からその料金所の位置までの距離が予め設定された閾値以下であれば、自車が料金所に接近した状態にあると判断する。自車が料金所に接近した状態にある場合はステップ３に進み、それ以外の場合はステップ１に進む。
【００１９】
ステップ３では、位置取得ユニット３がＧＰＳ２１を用いて自車位置を取得する。
ステップ４では、位置取得ユニット３が、前記ステップ２で自車が接近した状態にあると判断した料金所に関する料金所情報を地図情報から読み出す。前記ステップ２で自車が接近した状態にあると判断した料金所が複数存在する場合はそれぞれの料金所の料金所情報を読み出す。
【００２０】
ステップ５では、位置取得ユニット３が、地図情報を用いて、目標レーンの位置を取得する。図４に示すように、目標レーン６３とは、自車４８の前方に存在する料金所４９、５１、５３、５５、５９のさらに前方に存在する道路６１における１つのレーンであって、自車４８が将来走行する予定のレーンである。道路６１は、例えば高速道路である。
【００２１】
なお、位置取得ユニット３は以下のようにして目標レーンを決定する。位置取得ユニット３は、道路６１に進入した時点以降のルートがナビ３１に設定されている場合は、それに応じた目標レーン６３を取得する。例えば、道路６１において左に分岐するルートがナビ３１に設定されている場合は左側のレーンを目標レーンとし、道路６１において右に分岐するルートがナビ３１に設定されている場合は右側のレーンを目標レーンとする。
【００２２】
また、道路６１に進入した時点以降のルートがナビ３１に設定されていない場合、又は、直進するルートが設定されている場合は、予め決められた基準（例えば、一番左のレーンを選択するという基準等）に従い、目標レーンを決定する。
【００２３】
ステップ６では、予定走行路作成ユニット５が、自車の前方に存在する料金所のうち、自車が通過する１つの料金所（以下、通過料金所とする）を決定する。例えば、図４に示す例では、自車４８の前方に存在する料金所４９、５１、５３、５５、５９のうち、１つの料金所５７を通過料金所とする。
【００２４】
通過料金所を決定するための基準は適宜設定できる。例えば、自車がそのまま直進したと仮定したときに最も近い料金所を通過料金所とすることができる。また、自車位置と目標レーンの位置とを結ぶ直線に最も近い料金所を通過料金所とすることができる。また、自車がそのまま直進したと仮定したときに、ＥＴＣに対応した料金所のうちで最も近い料金所を通過料金所とすることができる。また、ＥＴＣに対応した料金所のうちで、自車位置と目標レーンの位置とを結ぶ直線に最も近い料金所を通過料金所とすることができる。
【００２５】
また、料金所のうち、閉鎖されているものを除外し、残った料金所の中から、上記のいずれかの基準により、通過料金所を決定してもよい。閉鎖されている料金所は、路車間通信装置３８を用いた通信により特定することができる。
【００２６】
なお、料金所の位置、及び料金所がＥＴＣに対応しているか否かは、前記ステップ４で読み出した料金所情報に含まれる。
ステップ７では、自車位置から、前記ステップ６で決定した通過料金所までの予定走行路（以下、第１の予定走行路とする）を予定走行路作成ユニット５が作成する。第１の予定走行路は、例えば、自車位置と通過料金所とを直線で結ぶ走行路とすることができる。
【００２７】
ステップ８では、他車検出ユニット９が、車車間通信装置２７を用いて他車情報を取得する処理を実行する。他車情報は、他車の位置、速度、ウインカーの状態等を含む情報である。他車は、他車情報を常時送信している。なお、カメラ１９又はミリ波センサ２５を用いて他車を検出し、その検出結果（他車の位置、速度、進行方向等）を他車情報としてもよい。
【００２８】
ステップ９では、前記ステップ８の処理の結果に基づき、自車の周囲であって、料金所よりも手前に他車が存在するか否かを他車検出ユニット９が判断する。すなわち、（ａ）車車間通信装置２７を用いて他車情報を取得でき、その他車情報に含まれる他車の位置が料金所より手前である場合、又は、（ｂ）カメラ１９又はミリ波センサ２１を用いて、料金所よりも手前にいる他車を検出した場合は、料金所よりも手前に他車が存在すると判断してステップ１０に進む。
【００２９】
一方、（ｃ）他車情報を取得できず、しかも、カメラ１９又はミリ波センサ２１により料金所より手前にいる他車を検出できない場合、あるいは、（ｄ）他車情報に含まれる他車の位置が料金所より先であり、しかも、カメラ１９又はミリ波センサ２１により料金所より手前にいる他車を検出できない場合は、料金所より手前に他車は存在しないと判断してステップ１７に進む。
【００３０】
ステップ１０では、前記ステップ９で存在すると判断した他車について、他車の現在位置から料金所に至るまでの他車の予定走行路（以下では第１の他車走行路とする）を、他車走行路作成ユニット１１が作成する。  
【００３１】
第１の他車走行路は、基本的には、他車がそのまま直進したときの進路に最も近い料金所までの走行路である。ただし、他車情報に、左右いずれかへの進路変更を示すウインカーの情報が含まれている場合は、その進路変更後の進路に最も近い料金所までの走行路を第１の他車走行路とする。
【００３２】
ステップ１１では、前記ステップ７で作成した第１の予定走行路と、前記ステップ１０で作成した第１の他車走行路とが重なる部分を有するか否かを、予定走行路作成ユニット５が判断する。例えば、図５に示すように、自車４８の第１の予定走行路６５と、他車６７の第１の他車走行路６９とが同じ料金所５３に向う場合、第１の予定走行路６５と第１の他車走行路６９とは重なる部分を有する。
【００３３】
第１の予定走行路と第１の他車走行路とが重なる部分を有する場合はステップ１２に進み、重なる部分を有さない場合はステップ１７に進む。
ステップ１２では、自車と他車とでどちらが優先であるかを予定走行路作成ユニット５が判断する。図５に示すように、自車４８の第１の予定走行路６５が左右いずれかに進路変更する走行路であり、他車６７の第１の他車走行路６９が直進する走行路である場合は、他車の方が優先である。逆に、自車の第１の予定走行路が直進する走行路であり、第１の他車走行路が左右いずれかに進路変更する走行路であれば、自車の方が優先である。
【００３４】
また、本ステップ１２では、自車の車速を調整することにより、第１の予定走行路を変えなくても、自車と他車との接触を回避できるか否かを判断する。第１の予定走行路を変えなくても、自車と他車との接触を回避できる場合としては、例えば、検出した他車が１台のみである場合等が挙げられる。また、第１の予定走行路を変えないと、自車と他車との接触を回避できない場合としては、例えば、複数の他車が前後方向に一列に並んで走行している場合等が挙げられる。
【００３５】
上記の判断の結果、自車が優先であり、且つ、自車の車速を調整することにより、第１の予定走行路を変えなくても、自車と他車との接触を回避できる場合はステップ１７に進み、それ以外の場合はステップ１３に進む。
【００３６】
ステップ１３では、通過料金所の変更が可能であるか否か（すなわち前記ステップ６で決定した通過料金所の代替となり得る他の料金所が存在するか否か）を、予定走行路作成ユニット５が判断する。なお、代替となり得る他の料金所とは、周辺に存在する料金所のうち、未だ通過料金所として選択されていない料金所を意味する。
【００３７】
通過料金所の変更が可能である場合はステップ１４に進み、変更が不可能である場合はステップ１６に進む。
ステップ１４では、予定走行路作成ユニット５が、通過料金所を他の料金所に変更する。変更後の通過料金所は、例えば、代替となり得る他の料金所のうち、変更前の通過料金所に最も近い料金所とすることができる。また、変更後の通過料金所は、例えば、代替となり得る他の料金所のうち、変更前の通過料金所と比べて、他車から遠い料金所とすることができる。
【００３８】
ステップ１５では、自車位置から、前記ステップ１４で変更した通過料金所の位置までの第１の予定走行路を予定走行路作成ユニット５が作成する。第１の予定走行路は、例えば、自車位置と通過料金所の位置とを直線で結ぶ走行路とすることができる。
【００３９】
例えば、図５に示すように、通過料金所を、料金所５３から料金所５５に変更した場合、それまでの第１の予定走行路６５に代えて、新たな第１の予定走行路７１を作成する。
ステップ１６では、第１の予定走行路を走行するときの自車の車速を設定する。設定された車速は、第１の予定走行路を走行する自車と、第１の他車走行路を走行する他車との接触を回避できる車速である。
【００４０】
この車速は、以下のように設定することができる。まず、他車情報を用いて、第１の予定走行路と第１の他車走行路とが重なる部分を他車が通過するタイミングを算出する。次に、上記の重なる部分を自車が通過するタイミングが、他車のタイミングとはずれるように、自車の車速を設定する。
【００４１】
図３のステップ１７では、前記ステップ６又は前記ステップ１４で決定した通過料金所の位置から、前記ステップ５で取得した目標レーンの位置までの予定走行路（以下、第２の予定走行路とする）を予定走行路作成ユニット５が作成する。
【００４２】
例えば、図６に示すように、通過料金所である料金所５５から目標レーン６３の位置までの第２の予定走行路７３を作成する。第２の予定走行路は、例えば、通過料金所の位置と目標レーンの位置とを直線で結ぶ走行路とすることができる。以下では、第１の予定走行路と第２の予定走行路とを合わせたものを、予定走行路とする。
【００４３】
ステップ１８では、他車検出ユニット９が、車車間通信装置２７を用いて他車情報を取得する処理を実行する。他車情報の内容は前記ステップ８で取得するものと同様である。
ステップ１９では、前記ステップ１８の処理の結果に基づき、自車の周囲に他車が存在するか否かを他車検出ユニット９が判断する。すなわち、車車間通信装置２７を用いて他車情報を取得するか、または、カメラ１９又はミリ波センサ２１を用いて他車を検出すれば、他車が存在すると判断してステップ２１に進む。一方、車車間通信装置２７を用いて他車情報を取得できず、しかも、カメラ１９又はミリ波センサ２１により他車を検出できなければ、他車は存在しないと判断してステップ２７に進む。
【００４４】
ステップ２０では、前記ステップ１９で存在すると判断した他車の、料金所よりも先の予定走行路（以下では第２の他車走行路とする）を、他車走行路作成ユニット１１が作成する。  
【００４５】
第２の他車走行路は、基本的には、第１の他車走行路の終点（他車が通過する料金所）から、他車がそのまま直進したときの進路に最も近いレーンまでの走行路である。ただし、他車情報に、左右いずれかへの進路変更を示すウインカーの情報が含まれている場合は、その進路変更後の進路に最も近いレーンまでの走行路を第２の他車走行路とする。
【００４６】
ステップ２１では、前記ステップ１７で作成した第２の予定走行路と、前記ステップ２０で作成した第２の他車走行路とが重なる部分を有するか否かを、予定走行路作成ユニット５が判断する。例えば、図６に示すように、自車４８の第２の予定走行路７３と、他車６７の第２の他車走行路７５とが道路６１における同じレーンに向う場合、第２の予定走行路７３と第２の他車走行路７５とは、重なる部分を有する。
【００４７】
第２の予定走行路と第２の他車走行路とが重なる部分を有する場合はステップ２２に進み、重なる部分を有さない場合はステップ２７に進む。
ステップ２２では、自車と他車とでどちらが優先であるかを予定走行路作成ユニット５が判断する。図６に示すように、自車４８の第２の予定走行路７３が左右いずれかに進路変更する走行路であり、他車６７の第２の他車走行路７５が直進する走行路である場合は、他車の方が優先である。逆に、自車の第２の予定走行路が直進する走行路であり、第２の他車走行路が左右いずれかに進路変更する走行路であれば、自車の方が優先である。
【００４８】
また、本ステップ２２では、自車の車速を調整することにより、第２の予定走行路を変えなくても、自車と他車との接触を回避できるか否かを判断する。第２の予定走行路を変えなくても、自車と他車との接触を回避できる場合としては、例えば、検出した他車が１台のみである場合等が挙げられる。また、第２の予定走行路を変えないと、自車と他車との接触を回避できない場合としては、例えば、複数の他車が前後方向に一列に並んで走行している場合等が挙げられる。
【００４９】
上記の判断の結果、自車が優先であり、且つ、自車の車速を調整することにより、第２の予定走行路を変えなくても、自車と他車との接触を回避できる場合はステップ２７に進み、それ以外の場合はステップ２３に進む。
【００５０】
ステップ２３では、目標レーンの変更が可能であるか否か（すなわち前記ステップ５で取得した目標レーンの代替となり得る他のレーンが同じ道路に存在するか否か）を、予定走行路作成ユニット５が判断する。なお、代替となり得る他のレーンとは、そのレーンに向う第２の予定走行路を未だ作成していないレーンを意味する。
【００５１】
目標レーンの変更が可能である場合はステップ２４に進み、変更が不可能である場合はステップ２６に進む。
ステップ２４では、予定走行路作成ユニット５が、目標レーンを他のレーンに変更する。変更後の目標レーンは、例えば、代替となり得る他のレーンのうち、変更前のレーンに最も近いレーンとすることができる。また、変更後の目標レーンは、例えば、代替となり得る他のレーンのうち、変更前の目標レーンと比べて、他車から遠いレーンとすることができる。
【００５２】
ステップ２５では、通過料金所の位置から、前記ステップ２４で変更した目標レーンの位置までの第２の予定走行路を予定走行路作成ユニット５が作成する。第２の予定走行路は、例えば、通過料金所の位置と目標レーンの位置とを直線で結ぶ走行路とすることができる。
【００５３】
例えば、図６に示すように、目標レーンを、レーン６３からレーン７５に変更した場合、それまでの第２の予定走行路７３に代えて、新たな第２の予定走行路７７を作成する。
ステップ２６では、第２の予定走行路を走行するときの自車の車速を設定する。設定された車速は、第２の予定走行路を走行する自車と、第２の他車走行路を走行する他車との接触を回避できる車速である。
【００５４】
この車速は、以下のように設定することができる。まず、他車情報を用いて、第２の予定走行路と第２の他車走行路とが重なる部分を他車が通過するタイミングを算出する。次に、上記の重なる部分を自車が通過するタイミングが、他車のタイミングとはずれるように、自車の車速を設定する。その後、ステップ２７に進む。
【００５５】
ステップ２７では、送信ユニット１３が、車車間通信装置２７を用いて、予定走行路を表す情報を自車の外部に送信する。
ステップ２８では、表示ユニット１５が、ＨＭＩ３７のディスプレイを用いて、予定走行路を自車の乗員に表示する。
【００５６】
３．運転支援装置１が実行する走行制御処理
走行制御ユニット７は、予定走行路が作成されたとき、その予定走行路に沿って自車が走行するように制御する。なお、予定走行路が作成されたとき、通常のＡＣＣ制御は自動的に終了する。
【００５７】
すなわち、走行制御ユニット７は、ＧＰＳ２１を用いて自車位置を取得し、その自車位置が予定走行路から逸脱しないように、横方向運動制御器３９及びステアリングシステム４１を用いて適宜操舵を行う。
【００５８】
また、走行制御ユニット７は、車速センサ３３を用いて自車両の車速を繰り返し取得し、その車速が予定走行路における各部の曲率に応じた車速となるように、前後方向運動制御器４３、パワートレインシステム４５及びブレーキシステム４７を制御する。
【００５９】
また、走行制御ユニット７は、自車の車速が、予定走行路の区間ごとに予め設定された車速となるように、前後方向運動制御器４３、パワートレインシステム４５及びブレーキシステム４７を制御する。例えば、料金所を通過するときは、それに応じた車速（低速）となるように制御する。また、料金所を通過し、目標レーンに向うときは、自車を加速する。
【００６０】
また、前記ステップ１６、２６で車速を設定した場合、走行制御ユニット７は、自車の車速がその設定した車速となるように、前後方向運動制御器４３、パワートレインシステム４５及びブレーキシステム４７を制御する。
【００６１】
４．運転支援装置１が奏する効果
（１Ａ）運転支援装置１は、料金所付近に白線がなくても、予定走行路を作成し、その予定走行路に沿って自車が走行するように制御することができる。
【００６２】
（１Ｂ）運転支援装置１は、地図情報を用いて料金所の位置、及び目標レーンの位置を取得することができる。そのことにより、それらの位置を容易且つ正確に取得することができる。
【００６３】
（１Ｃ）運転支援装置１は、自車の周囲に存在する他車を検出し、その他車の予定走行路である他車走行路を作成することができる。そして、運転支援装置１は、他車走行路を走行する他車と自車とが接触しないように予定走行路を作成することができる。そのことにより、自車の安全性が一層向上する。
【００６４】
（１Ｄ）運転支援装置１は、作成した予定走行路を表す情報を自車の外部に送信することができる。その情報を受信した他車は、自車の予定走行路を認識することができる。そのことにより、自車及び他車の安全性が一層向上する。
【００６５】
（１Ｅ）運転支援装置１は、作成した予定走行路を自車の乗員に表示することができる。
＜その他の実施形態＞
以上、本発明の実施形態について説明したが、本発明は上記実施形態に限定されることなく、種々の形態を採り得る。
【００６６】
（１）運転支援装置１は、自車位置から、通過料金所の位置を経て目標レーンの位置に至る予定走行路をまとめて作成してもよい。
（２）運転支援装置１は、カメラ１９、又はミリ波センサ２５を用いて料金所の位置、及び目標レーンの位置を取得してもよい。また、他のセンサを用いて、料金所の位置、及び目標レーンの位置を取得してもよい。
【００６７】
（３）前記ステップ１１で肯定判断した場合、常に前記ステップ１３に進むようにしてもよい。また、前記ステップ２１で肯定判断した場合、常に前記ステップ２３に進むようにしてもよい。
【００６８】
（４）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００６９】
（５）上述した運転支援装置の他、当該運転支援装置を構成要素とするシステム、当該運転支援装置としてコンピュータを機能させるためのプログラム、このプログラムを記録した媒体、運転支援方法等、種々の形態で本発明を実現することもできる。
【符号の説明】
【００７０】
１…運転支援装置、３…位置取得ユニット、５…予定走行路作成ユニット、７…走行制御ユニット、９…他車検出ユニット、１１…他車走行路作成ユニット、１３…送信ユニット、１５…表示ユニット、１７…ＡＣＣ制御ユニット、１９…カメラ、２１…ＧＰＳ、２３…地図情報保持部、２５…ミリ波センサ、２７…車車間通信装置、２９…ドライバ車速設定器、３１…ナビ、３３…車速センサ、３５…ドライバアプリ起動スイッチ、３７…ＨＭＩ、３８…路車間通信装置、３９…横方向運動制御器、４１…ステアリングシステム、４３…前後方向運動制御器、４５…パワートレインシステム、４７…ブレーキシステム、４８…自車、４９、５１、５３、５５、５７、５９…料金所、６１…道路、６３…目標レーン、６５、７１…第１の予定走行路、６７…他車、６９…第１の他車走行路、７３、７７…第２の予定走行路、７５…第２の他車走行路
【図１】
0006406131.tif 000002
【図２】
0006406131.tif 000003
【図３】
0006406131.tif 000004
【図４】
0006406131.tif 000005
【図５】
0006406131.tif 000006
【図６】
0006406131.tif 000007